(57)【要約】【課題】照明器具の薄型化を図りつつも、保持部材に対する安定した固定を確保する。【解決手段】照明器具１は、面発光する光源部２と、光源部２の背面の一部が露出するように光源部２の背面側に配置された回路基板３と、光源部２及び回路基板３の背面側から光源部２及び回路基板３を覆うカバー部材４とを備えている。カバー部材４は、光源部２を覆う光源用カバー部４１と、光源用カバー部４１に対して光源用カバー部４１の背面側に突出し、回路基板３を覆う基板用カバー部４２とを備える。基板用カバー部４２には、基板用カバー部４２の背面側に固定具１０の軸体が突出するように固定具１０を収容する固定具収容部４２３が設けられている。【選択図】図８
2016152216.tif 000002
【特許請求の範囲】
【請求項１】
軸体を有する固定具を介して保持部材に取り付け自在な照明器具であって、
面発光する光源部と、
前記光源部の背面の一部が露出するように前記光源部の背面側に配置された回路基板と、
前記光源部及び前記回路基板の背面側から前記光源部及び前記回路基板を覆うカバー部材とを備え、
前記カバー部材は、前記光源部の露出した部分を覆う光源用カバー部と、前記光源用カバー部に対して前記光源用カバー部の背面側に突出し、前記回路基板を覆う基板用カバー部とを備え、
前記基板用カバー部には、前記基板用カバー部の背面側に前記軸体が突出するように前記固定具を収容する固定具収容部が設けられている照明器具。
【請求項２】
前記固定具収容部は、前記基板用カバー部の周縁部に配置され、かつ前記回路基板を挟んで対向するように少なくとも一対設けられている
請求項１記載の照明器具。
【請求項３】
前記固定具収容部は、前記基板用カバー部の端部から前記固定具の設置箇所まで前記基板用カバー部が切り欠かれた切欠き部を有する
請求項１又は２記載の照明器具。
【請求項４】
前記固定具収容部は、前記切欠き部における前記固定具の設置箇所近傍に、前記固定具の動作を規制する規制部を有する
請求項３記載の照明器具。
【請求項５】
前記光源用カバー部は、前記固定具を前記切欠き部まで案内する案内凹部を有する
請求項３又は４記載の照明器具。
【請求項６】
前記切欠き部に対応する発光面側の前記基板用カバー部が開口している
請求項３〜５のいずれか一項に記載の照明器具。
【請求項７】
前記カバー部材は、前記保持部材とは異なる他の保持部材に対して係合する少なくとも一対の爪部を有する
請求項１〜６のいずれか一項に記載の照明器具。
【請求項８】
請求項１〜７のいずれか一項に記載の照明器具と、
前記固定具とを備える照明セット。
【請求項９】
さらに、
前記保持部材を備える
請求項８記載の照明セット。
【発明の詳細な説明】
【技術分野】
【０００１】
本発明は、照明器具及び照明セットに関し、特に平面状の光源部を有する照明器具及び照明セットに関する。
【背景技術】
【０００２】
面発光する照明器具は、例えばエレクトロルミネッセンス（ＥＬ）素子を有する平面状の発光パネルを備える。発光パネルの背面側には、発光パネルを駆動するための回路基板と、発光パネル及び回路基板を覆うハウジングとが設けられている（例えば特許文献１参照）。このような照明器具は、照明器具を保持するための保持部材（例えば照明器具取り付け用の部品、建物の壁及び天井など）に対して、例えばネジなどの固定具により固定される。具体的には、ハウジングにおける保持部材に対向する部分であって、回路基板を覆う部分の周囲に、固定具としてのネジが挿入されるネジ孔が設けられている。
【先行技術文献】
【特許文献】
【０００３】
【特許文献１】特開２０１２−１９９２１９号公報
【発明の概要】
【発明が解決しようとする課題】
【０００４】
従来、照明器具のさらなる薄型化が望まれている。このため、照明器具の各部においても薄型化が図られることになるが、これによりネジ孔も浅くなる。つまり、固定具としてのネジとネジ孔との接触面積が小さくなり、安定した固定が困難になるおそれがある。
【０００５】
他方、照明器具の背面側からネジ軸が突出するように照明器具にネジを設け、そのネジ軸に保持部材を取り付けてからナットを締め付けることで安定した固定を確保することも考えられる。しかし、照明器具から突出したネジ軸が薄型化を阻害するため好ましくない。
【０００６】
そこで、本発明は、照明器具の薄型化を図りつつも、保持部材に対する安定した固定を確保することができる照明器具及び照明セットを提供することである。
【課題を解決するための手段】
【０００７】
本発明の一態様に係る照明器具は、軸体を有する固定具を介して保持部材に取り付け自在な照明器具であって、面発光する光源部と、前記光源部の背面の一部が露出するように前記光源部の背面側に配置された回路基板と、前記光源部及び前記回路基板の背面側から前記光源部及び前記回路基板を覆うカバー部材とを備え、前記カバー部材は、前記光源部の露出した部分を覆う光源用カバー部と、前記光源用カバー部に対して前記光源用カバー部の背面側に突出し、前記回路基板を覆う基板用カバー部とを備え、前記基板用カバー部には、前記基板用カバー部の背面側に前記軸体が突出するように前記固定具を収容する固定具収容部が設けられている。
【発明の効果】
【０００８】
本発明によれば、照明器具の薄型化を図りつつも、保持部材に対する安定した固定を確保することができる。
【図面の簡単な説明】
【０００９】
【図１】実施の形態に係る照明器具の外観図である。
【図２】実施の形態に係る照明器具を発光面から見た外観図である。
【図３】実施の形態に係る照明器具の分解斜視図である。
【図４】実施の形態に係る回路基板と発光パネルとの概略構成を背面側から見た分解斜視図である。
【図５】実施の形態に係るカバー部材の内部形状を示す斜視図である。
【図６】実施の形態に係る固定具収容部を発光面側から拡大して示す斜視図である。
【図７】実施の形態に係る固定具収容部を背面側から拡大して示す斜視図である。
【図８】実施の形態に係る照明器具の取り付け方法の一工程を示す斜視図である。
【図９】実施の形態に係る照明器具の取り付け方法の一工程を示す斜視図である。
【図１０】実施の形態に係る照明器具の取り付け方法の一工程を示す斜視図である。
【図１１】別の取り付け構造をさらに備えた照明器具の概略構成を示す斜視図である。
【図１２】別の取り付け構造をさらに備えた照明器具の概略構成を示す斜視図である。
【発明を実施するための形態】
【００１０】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。また、各図は、模式図であり、必ずしも厳密に図示されたものではない。
【００１１】
［全体構成］
以下、実施の形態に係る照明器具について説明する。図１は、実施の形態に係る照明器具を背面側から見た外観図である。図２は、実施の形態に係る照明器具を発光面側から見た外観図である。図３は、実施の形態に係る照明器具の分解斜視図である。
【００１２】
なお、照明器具の光照射方向の進行方向側を発光面側とし、進行方向とは反対側を背面側とする。
【００１３】
図１〜図３に示すように、照明器具１は、光源部２と、回路基板３と、カバー部材４とを備えている。
【００１４】
光源部２は、正面視矩形状に形成されており、発光パネル２１とフレーム２２とを備えている。
【００１５】
発光パネル２１は、可視光を面発光するパネル体である。発光パネル２１としては、例えば有機エレクトロルミネッセンスパネル（有機ＥＬパネル）、無機ＥＬパネル、無機ＬＥＤチップと導光板とを組み合わせた面発光パネルなどが挙げられる。発光パネル２１の発光面２１ａとは反対側の面（背面２１ｂ）の略中央部には、発光パネル２１の入力用電極２１１と、入力用電極２１１に配置された接続端子２１２とが設けられている。
【００１６】
フレーム２２は、例えば金属又は樹脂などによって正面視矩形枠状に形成されており、枠体２２１とリブ２２２とを一体的に有する。枠体２２１は、発光パネル２１の発光面２１ａの周縁部を発光面側から覆う。リブ２２２は、枠体２２１の背面側の外周縁から背面側に向けて立設している。リブ２２２の四辺のそれぞれの両端部には、カバー部材４を組み付けるための開口部２２３が形成されている。
【００１７】
図４は回路基板と発光パネルとの概略構成を背面側から見た分解斜視図である。
【００１８】
図３及び図４に示すように、回路基板３は光源部２の背面の一部を露出するように光源部２の背面側に重なって配置されている。回路基板３は発光パネル２１よりも平面視で小さくなるように正面視略矩形状に形成されている。具体的には、回路基板３は、発光パネル２１の外周縁から所定の間隔だけ小さく形成されている。また、回路基板３の中央部には、発光パネル２１の入力用電極２１１及び接続端子２１２を背面側に露出するための矩形状の開口部３１が形成されている。回路基板３の背面は回路部品実装面３２となっている。回路部品実装面３２には、発光パネル２１を駆動するための各種の回路部品が実装されている。回路部品実装面３２に実装される回路部品の一部としては、例えばリード線３２１を介して発光パネル２１の接続端子２１２に接続される接続端子３２２と、外部からの制御信号及び電力が入力される入力端子３２３とが挙げられる。なお、回路部品実装面３２に実装されるその他の回路部品は、具体的な図示を省略し、図３に示す斜線領域に実装されている。
【００１９】
カバー部材４は、光源部２及び回路基板３の背面側に設置されて、光源部２及び回路基板３を背面側から覆うものである。
【００２０】
図５は、カバー部材の内部形状を示す斜視図である。
【００２１】
図３及び図５に示すようにカバー部材４は、光源部２よりもわずかに大きな正面視矩形状に形成されており、光源用カバー部４１と基板用カバー部４２とを一体的に備えている。具体的には、カバー部材４の外周部が光源用カバー部４１であり、光源用カバー部４１よりも内側の部分が基板用カバー部４２である。
【００２２】
光源用カバー部４１は、背面板４１１と壁部４１２とを有する。背面板４１１は、背面側から見て回路基板３からはみ出た光源部２を覆うように形成されている。壁部４１２は、背面板４１１の外周縁から発光面側に突出し、フレーム２２のリブ２２２の内側に重なるように形成されている。壁部４１２の外側面には、リブ２２２の開口部２２３に係止するように外側に向けて突出した突起４１３が形成されている。
【００２３】
基板用カバー部４２は、回路収容部４２１と、入力端子露出部４２２と、固定具収容部４２３とを備える。
【００２４】
回路収容部４２１は、図３に示す斜線領域に実装された回路部品を収容する。具体的には、回路収容部４２１は、光源用カバー部４１に対して当該光源用カバー部４１の背面側に突出している。また、回路収容部４２１における回路基板３に対向する部分は、回路基板３に対して所定の間隔をあけるように凹形状になっている。この凹形状部分に斜線領域上の回路部品が収容されることになる。
【００２５】
入力端子露出部４２２は、回路基板３に実装された入力端子３２３を露出させる正面視矩形状の開口である。この入力端子露出部４２２によって入力端子３２３が露出するので、カバー部材４を光源部２に取り付けた状態であっても、入力端子３２３に対する配線の着脱作業が可能となる。
【００２６】
固定具収容部４２３は、後述する固定具１０を収容する。
【００２７】
図６は発光面側から固定具収容部４２３を拡大して示す斜視図である。図７は背面側から固定具収容部４２３を拡大して示す斜視図である。図７において、符号１０は固定具を示している。
【００２８】
まず、固定具１０について説明する。固定具１０は、図７に示すように、照明器具１を保持する保持部材１００（後述：図９参照）に対して照明器具１を固定するためのものである。具体的には固定具１０は、ネジ軸である軸体１１と、軸体１１の一端に設けられた六角形状の頭部１２とを備えた例えば六角ボルトである。
【００２９】
次に固定具収容部４２３について説明する。
【００３０】
固定具収容部４２３は、図３及び図５に示す通り基板用カバー部４２を挟んで対向するように一対、基板用カバー部４２の周縁部に設けられている。固定具収容部４２３は、図７に示すように背面側から見ると回路収容部４２１の周縁部から外側に向けて延び出ている。回路収容部４２１の背面と固定具収容部４２３の背面とは面一に形成されている。照明器具１の全体的な薄型化の観点から、固定具収容部４２３が回路収容部４２１から背面側に突出していないことがよい。また、固定具収容部４２３は、基板用カバー部４２の端部から固定具１０の設置箇所まで延びるように基板用カバー部４２が切り欠かれた切欠き部４２４を有する。具体的には、切欠き部４２４の外側の一端部は開放しており、切欠き部４２４の内側の他端部は円弧状に形成されている。切欠き部４２４の幅Ｈは、固定具１０の軸体１１の直径よりも大きく形成されている。これにより、固定具１０の軸体１１は切欠き部４２４内に進入可能となる。切欠き部４２４内に進入した軸体１１は切欠き部４２４に沿って固定具１０の設置箇所まで案内される。
【００３１】
また、切欠き部４２４の幅Ｈは、頭部１２の対辺の幅よりも小さく形成されている。これにより、頭部１２の背面側への抜けを確実に防止している。
【００３２】
他方、図６に示す通り発光面側から見ると、固定具収容部４２３は、回路収容部４２１の凹形状部分から離間した位置で、切欠き部４２４と重なって凹むように設けられている。この凹部４２５内に固定具１０の頭部１２が収容される。具体的に、凹部４２５は、固定具収容部４２３に重なるように基板用カバー部４２の周縁部から固定具１０の設置箇所近傍まで延在している。凹部４２５の周縁部側の一端部は開放しており、切欠き部４２４内に軸体１１が進入すると頭部１２も凹部４２５内に進入する。切欠き部４２４に進入すると、固定具１０の軸体１１は、切欠き部４２４を介して背面側に向けて突出する。
【００３３】
また、固定具１０の設置箇所近傍にある凹部４２５の他端部は、設置箇所にある固定具１０の動作を規制する規制部４２６である。具体的には、六角形状の頭部１２の連続する４つの側面が規制部４２６の内側面４２７に当接することで固定具１０の回転動作が規制される形状となっている。なお、頭部１２の４つの側面が当接していなくとも、少なくとも１つの側面が当接する形状であれば固定具１０の回転動作が規制されることになる。これ以外にも、固定具１０の動作を規制できる形状であれば規制部４２６の形状は如何なるものであってもかまわない。
【００３４】
凹部４２５の発光面側は開放している。つまり、切欠き部４２４に対応する発光面側の基板用カバー部４２が開口している。これにより、切欠き部４２４内に設置された固定具１０の頭部１２は、凹部４２５を介して回路基板３の回路部品実装面３２に当接することになる。このように、固定具１０の設置箇所が回路基板３の回路部品実装面３２上となるので、固定具１０の設置箇所を極力発光面側に配置することができる。したがって、固定具収容部４２３を背面側に大きくしなくとも、固定具１０の収容空間を確保することができる。
【００３５】
図７に示すように、光源用カバー部４１の背面板４１１の背面側には、固定具１０を切欠き部４２４まで案内する案内凹部４１５が形成されている。具体的に、案内凹部４１５は、切欠き部４２４に対峙する位置に配置されている。案内凹部４１５は、切欠き部４２４の延在方向に沿って延び出ている。案内凹部４１５は、延在方向の外側部分から内側部分にかけて徐々に発光面側に向かうテーパ形状に形成されている。案内凹部４１５の発光面側は、テーパ形状に対応した凸型形状となっている（図６参照）。案内凹部４１５の底面４１４に固定具１０の頭部１２を乗せ、底面４１４上で滑らせることで固定具１０が切欠き部４２４まで案内される（図７の矢印Ｙ参照）。案内時の引っ掛かりを防止すべく、案内凹部４１５の内側部分は、回路部品実装面３２に対して段差のない状態、もしくは案内凹部４１５側が回路部品実装面３２から突出した状態に形成されていることがよい。
【００３６】
[取り付け手順]
本実施の形態に係る照明器具１の取り付け手順について説明する。
【００３７】
図８〜図１０は、実施の形態に係る照明器具１の取り付け方法の一工程を示す斜視図である。
【００３８】
ここで、照明器具１は保持部材１００に対して取り付けられる。保持部材１００は、例えば照明器具取り付け用の部品、建物の壁及び天井など、照明器具１を保持する保持部材であれば如何なるものでもよい。本実施形態では、照明器具取り付け用の部品である保持部材１００を例示して説明する。
【００３９】
まず、保持部材１００について図９に基づいて説明する。
【００４０】
図９に示すように、保持部材１００は、例えば金属又は樹脂からなる板状の部材である。保持部材１００は、開口部１０１と、一対の貫通孔１０２とを有する。開口部１０１は、略Ｔ字状に形成されていて、そのＴ字状の上辺部１０３の両端部で入力端子３２３を露出させる。一対の貫通孔１０２は、上辺部１０３の両端部近傍に設けられている。具体的には、一対の貫通孔１０２は、保持部材１００と照明器具１とが位置合わせされた際に、設置箇所に設置された一対の固定具１０の軸体１１が貫通する位置に設けられている。
【００４１】
次に、取り付け方法について説明する。
【００４２】
まず図２に示す照明器具１に対して固定具１０を取り付ける。具体的には、作業者は、案内凹部４１５の底面４１４に固定具１０の頭部１２を滑らせながら、切欠き部４２４内に固定具１０の軸体１１を進入させて、固定具収容部４２３内に固定具１０を収容する。
【００４３】
固定具１０が設置箇所に設置されると、図９に示すように、作業者は保持部材１００の貫通孔１０２に軸体１１が挿通するように、保持部材１００と照明器具１とを位置合わせする。
【００４４】
次いで、作業者は、図１０に示すように、固定具１０の軸体１１にナット１５を締め付け、保持部材１００に照明器具１を固定する。締め付け時においては、固定具１０の頭部１２が規制部４２６に当接し、固定具１０の回転動作が規制されている。このため、固定具１０がナット１５とともに回転することが防止され、ナット１５を確実に締め付けることができる。
【００４５】
［効果等］
以上説明したように、本実施の形態に係る照明器具１は、面発光する光源部２と、光源部２の背面の一部が露出するように光源部２の背面側に配置された回路基板３と、光源部２及び回路基板３の背面側から光源部２及び回路基板３を覆うカバー部材４とを備える。カバー部材４は、光源部２の露出した部分を覆う光源用カバー部４１と、光源用カバー部４１に対して光源用カバー部４１の背面側に突出し、回路基板３を覆う基板用カバー部４２とを備える。基板用カバー部４２には、基板用カバー部４２の背面側に固定具１０の軸体が突出するように固定具１０を収容する固定具収容部４２３が設けられている。
【００４６】
このように、光源用カバー部４１に対して背面側に突出した基板用カバー部４２に固定具収容部４２３が設けられているので、この基板用カバー部４２と回路基板３とがなす空間に固定具１０の一部を収容することができる。固定具収容部４２３は、軸体１１を背面側に突出させて固定具１０を収容することができるため、照明器具１自体の厚みに依存せずに軸体１１の突出量を大きくすることができる。軸体１１の突出量を大きくできるのであれば、軸体１１とナット１５との接触面積も大きくすることができ、保持部材１００に対して照明器具１を安定して固定することも可能となる。
【００４７】
したがって、薄型化を図りつつも、保持部材１００に対する安定した固定を確保することが可能となる。
【００４８】
また、固定具収容部４２３は、光源部２に重なった回路基板３に対して重なって配置されている。つまり、光源部２を発光面側から見た場合、固定具収容部４２３は光源部２内に収まるため、照明器具１全体を小型化することができる。
【００４９】
特に、固定具を照明器具の周縁部から外側へ張り出すように設けた場合、複数の照明器具を隣接配置したとしても、隣り合った照明器具同士の間隔が開いてしまう。しかしながら、上述したように固定具収容部４２３が光源部２内に収まっていれば、隣り合った照明器具１同士をより近づけて配置することができ、両者間の非発光領域を小さくすることができる。
【００５０】
また、固定具収容部４２３は、基板用カバー部４２の周縁部に配置され、かつ回路基板３を挟んで対向するように少なくとも一対設けられている。
【００５１】
少なくとも一対の固定具収容部４２３が基板用カバー部４２の周縁部に配置されて、かつ回路基板３を挟んで対向しているので、各固定具収容部４２３に収容された固定具１０によって照明器具１を保持部材１００に安定して固定することができる。
【００５２】
また、固定具収容部４２３は、基板用カバー部４２の端部から固定具１０の設置箇所まで基板用カバー部４２が切り欠かれた切欠き部４２４を有する。
【００５３】
切欠き部４２４が基板用カバー部４２の端部から固定具１０の設置箇所まで延びているので、基板用カバー部４２の外側から切欠き部４２４を介して固定具１０を設置箇所まで案内することができる。これにより固定具１０を容易に設置箇所に設置することができる。
【００５４】
また、固定具収容部４２３は、切欠き部４２４における固定具１０の設置箇所近傍に、固定具１０の動作を規制する規制部４２６を有する。
【００５５】
規制部４２６が固定具１０の動作を規制しているので、取り付け作業に伴う固定具１０の動作が抑制され、円滑な取り付け作業が可能となる。
【００５６】
また、光源用カバー部４１は、固定具１０を切欠き部４２４まで案内する案内凹部４１５を有する。
【００５７】
固定具１０を切欠き部４２４まで案内する案内凹部４１５が光源用カバー部４１に設けられているので、案内凹部４１５に沿わせて固定具１０を移動させるという簡単な動作で固定具１０を取り付けることができる。したがって、より円滑な取り付け作業が可能となる。
【００５８】
また、切欠き部４２４に対応する発光面側の基板用カバー部４２が開口している。
【００５９】
この開口を介して固定具１０は回路基板３に当接することになる。このように、固定具１０の設置箇所が回路基板３の表面（回路部品実装面３２）上となるので、固定具１０の設置箇所を極力発光面側に配置することができる。したがって、固定具収容部４２３を背面側に大きくしなくとも、固定具１０の収容空間を確保することができる。
【００６０】
（その他の実施の形態）
以上、実施の形態に係る照明器具について説明したが、本発明は、上記実施の形態に限定されるものではない。なお、以下の説明において、上記実施の形態と同一の部分については同一の符号を付してその説明を省略する。
【００６１】
例えば、上記実施の形態では、照明器具１は固定具１０を用いた取り付け構造を有する場合を例示して説明したが、別の取り付け構造をさらに備えていてもよい。
【００６２】
図１１及び図１２は、別の取り付け構造をさらに備えた照明器具１Ａの概略構成を示す斜視図である。図１１及び図１２に示すように、カバー部材４には、保持部材１００とは異なる他の保持部材２００に対して係合する一対の爪部５０が設けられている。具体的には、一対の爪部５０は、基板用カバー部４２の固定具収容部４２３が設けられた一対の辺部とは異なる一対の辺部に設けられている。これにより、一対の爪部５０は、基板用カバー部４２の周縁部に配置され、なおかつ基板用カバー部４２を挟んで対向することになる。爪部５０は、基板用カバー部４２の周縁部から外側に向けて突出している。また、基板用カバー部４２における爪部５０の近傍には、爪部５０を撓みやすくするための長孔５１が形成されている。
【００６３】
保持部材２００は、例えば金属又は樹脂からなる板状の部材である。保持部材２００は、矩形状の開口部２０１を有する。開口部２０１は、基板用カバー部４２がはまり込む大きさに形成されている。
【００６４】
次に、照明器具１Ａを保持部材２００に取り付ける取り付け手順について説明する。
【００６５】
図１１に示すように、作業者は、保持部材２００の開口部２０１に対して基板用カバー部４２がはまるように、保持部材２００に対して照明器具１Ａを位置合わせする。開口部２０１を爪部５０が通過する際には一対の爪部５０が開口部２０１により押されて撓む。開口部２０１を通過すると一対の爪部５０は弾性復帰して元の位置に戻る。これにより、図１２に示すように、保持部材２００に対して一対の爪部５０が係合し、保持部材２００に照明器具１が取り付けられる。
【００６６】
このようにカバー部材４は、保持部材１００とは異なる他の保持部材２００に対して係合する少なくとも一対の爪部５０を有する。
【００６７】
これにより、種類の異なる保持部材１００，２００に対しても同じ照明器具１を取り付けることができ、照明器具１の汎用性を高めることができる。
【００６８】
また、上記実施の形態では、固定具収容部４２３が基板用カバー部４２を挟んで対向するように一対設けられている場合を例示して説明したが、保持部材１００に対して照明器具１を安定して固定できるのであれば、固定具収容部４２３は一つであっても構わない。
【００６９】
また、上記実施の形態では、ネジ軸を有する六角ボルトを固定具として例示して説明したが、保持部材に対して係合する軸体を有する固定具であれば六角ボルト以外の固定具も使用可能である。その他の固定具としては、例えば六角ボルト以外のネジ、リベット、ピンなどが挙げられる。
【００７０】
なお、上記実施の形態においては、照明器具１のみを流通させても、照明器具１、固定具１０及びナット１５を備えた照明セットとして流通させてもよい。なお、単体で固定可能な固定具である場合にはナットは不要となる。また、照明セットとしてさらに保持部材１００を備えてもよい。いずれの場合においても上述した効果を奏することが可能である。
【符号の説明】
【００７１】
１      照明器具
２      光源部
３      回路基板
４      カバー部材
１０    固定具
１１    軸体
４１    光源用カバー部
４２    基板用カバー部
１００  保持部材
４１５  案内凹部
４２３  固定具収容部
４２４  切欠き部
４２６  規制部
【図１】
2016152216.tif 000003
【図２】
2016152216.tif 000004
【図３】
2016152216.tif 000005
【図４】
2016152216.tif 000006
【図５】
2016152216.tif 000007
【図６】
2016152216.tif 000008
【図７】
2016152216.tif 000009
【図８】
2016152216.tif 000010
【図９】
2016152216.tif 000011
【図１０】
2016152216.tif 000012
【図１１】
2016152216.tif 000013
【図１２】
2016152216.tif 000014